(57)【特許請求の範囲】
【請求項１】
上流側駆動ローラと下流側駆動ローラとの間に記録材を展張搬送させると共に、これら両駆動ローラの間の位置にあって印字、画像形成を行うインクヘッドを、記録材搬送方向と直交する方向に移動させながら記録材に画像を形成する画像形成装置において、
前記インクヘッドに接離する方向にビスを移動させるための孔が形成された、前記両駆動ローラの間の位置に配設されたステーと、
前記両駆動ローラの共通接線よりも前記インクヘッド側にその先端が位置する、該ステーに前記ビスで調整自在に固定されたガイド部材とを備え、
記録材のうち印字領域に存在する部分を前記上流側駆動ローラと前記ガイド部材の先端とで規制することを特徴とする画像形成装置。
【請求項２】
上流側駆動ローラと下流側駆動ローラとの間に記録材を展張搬送させると共に、これら両駆動ローラの間の位置にあって印字、画像形成を行うインクヘッドを、記録材搬送方向と直交する方向に移動させながら記録材に画像を形成する画像形成装置において、
前記インクヘッドに接離する方向にビスを移動させるための孔が形成された、前記両駆動ローラの間の位置に配設されたステーと、
印字領域をカバーする長さの面が形成された、該ステーに前記ビスで調整自在に固定されたガイド部材とを備え、
記録材のうち印字領域に存在する部分を前記上流側駆動ローラと前記ガイド部材の前記面とで規制することを特徴とする画像形成装置。
【請求項３】
上流側駆動ローラと下流側駆動ローラとの間に記録材を展張搬送させると共に、これら両駆動ローラの間の位置にあって印字、画像形成を行うインクヘッドを、記録材搬送方向と直交する方向に移動させながら記録材に画像を形成する画像形成装置において、
前記インクヘッドに接離する方向にビスを移動させるための孔が形成された、前記両駆動ローラの間の位置に配設されたステーと、
前記インクヘッドに対向する面が形成されると共に、前記上流側駆動ローラから記録材を分離する分離シートが前記面に配置された、前記ステーに前記ビスで調整自在に固定されたガイド部材とを備え、
前記分離シートは、前記両駆動ローラの共通接線よりもインクヘッド側に位置する先端と、前記印字領域よりも記録材搬送方向下流側に位置して前記インクヘッド側に湾曲した後端とを有するものであり、
記録材のうち前記印字領域に存在する部分を前記分離シートの先端と後端とで規制することを特徴とする画像形成装置。
【請求項４】
上流側駆動ローラと下流側駆動ローラとの間に記録材を展張搬送させると共に、これら両駆動ローラの間の位置にあって印字、画像形成を行うインクヘッドを、記録材搬送方向と直交する方向に移動させながら記録材に画像を形成する画像形成装置において、
前記インクヘッドに接離する方向にビスを移動させるための孔が形成された、前記両駆動ローラの間の位置に配設されたステーと、
前記インクヘッドに対向する面が形成されると共に、前記上流側駆動ローラから記録材を分離する分離シートが前記面に配置された、前記ステーに前記ビスで調整自在に固定されたガイド部材とを備え、
前記分離シートは、前記上流側駆動ローラから前記印字領域を超えて記録材搬送方向下流側まで延びたものであって、該分離シートのうち前記印字領域よりも記録材搬送方向上流側の部分に、上方に凸となった湾曲部が形成されると共に、該分離シートのうち前記印字領域よりも記録材搬送方向下流側の部分に、前記インクヘッドに近接する方向に湾曲した後端部が形成されたものであり、
記録材のうち前記印字領域に存在する部分を前記湾曲部と前記後端部とで規制することを特徴とする画像形成装置。
【請求項５】
上流側駆動ローラと下流側駆動ローラとの間に記録材を展張搬送させると共に、これら両駆動ローラの間の位置にあって印字、画像形成を行うインクヘッドを、記録材搬送方向と直交する方向に移動させながら記録材に画像を形成する画像形成装置において、
前記インクヘッドに接離する方向にビスを移動させるための孔が形成された、前記両駆動ローラの間の位置に配設されたステーと、
前記インクヘッドに接離する方向にビスを移動させるための孔が形成された、前記上流側駆動ローラに従動回転する従動コロの近傍に配置された第２ステーと、
前記両駆動ローラの共通接線に一致する位置又はこの共通接線よりも前記インクヘッド側にその先端が位置する、前記ステーに前記ビスで調整自在に固定された印字後ガイド部材と、
前記両駆動ローラの共通接線に一致する位置又はこの共通接線よりも前記インクヘッドから遠い側にその先端が位置する、前記第２ステーに前記ビスで調整自在に固定された印字前ガイド部材とを備え、
記録材のうち印字領域に存在する部分を前記印字前ガイド部材の先端と前記印字後ガイド部材の先端とで規制することを特徴とする画像形成装置。
【請求項６】
前記ガイド部材は、
前記記録材搬送方向に直交する方向において分割されたものであって、
分割されたガイド部材ごとにその位置を調整して前記ステーに固定されるものであることを特徴とする請求項１から５までのうちのいずれか一項に記載の画像形成装置。
【発明の詳細な説明】
【０００１】
【発明の目的】
【産業上の利用分野】
この発明は、複写機、プリンタ、プロッタ等で主としてインクジェット方式をとる画像形成装置に関するものである。
【０００２】
【従来技術と解決すべき課題】
紙などの記録材に近接してインクジェット方式の画像形成手段を配置し、画像信号に応じて吐出されるインクによって記録材に画像を形成する画像形成装置にあっては、インクを吐出するインクヘッドと記録材の間隔を可及的に小さく且つ均一に維持することが良質の画像を得るための必須要件である。
【０００３】
この間隔を維持するための手段として、従来、記録材の走行方向にみて上流側の記録材搬送ローラ対と下流側の搬送ローラ対の間に記録材を展張するとともに、下流側ローラ対の周速を上流側ローラ対のそれよりも大きくして、記録材に引っ張り傾向を付与して記録材の位置出しを行っていた。
【０００４】
ところがこのような仕方では、記録材の位置が、上下両側のローラ対の共通接線によって決定されることになるので、この位置を一定にするには、ローラ外周の偏心、振れ、相互の関係位置などに対して加工、組み立て上高精度が要求され、とくに大型のプロッタなどではローラが長くなるので、加工、組み立てが困難となってコストアップの原因となっていた。
【０００５】
本発明はこのような現状に鑑みてなされたものであって、記録材搬送方向にみて上下両側に配設した搬送ローラ対間に記録材を展張搬送するとともに、これと直交する方向にインクヘッドを近接走行させるようにした画像形成装置において、該記録材の位置決めを搬送ローラ対近傍に記録材ガイド部材を配設し、これによって記録材を案内搬送するようにして、搬送用のローラ対の製作、加工、組み立て精度に依存することなく記録材の正確な搬送ルートを確保できるとともに、その調整も容易となるような画像形成装置を提供することを目的とするものである。
【０００６】
【発明の構成】
【課題を解決する技術手段、その作用】
上記の目的を達成するため、本発明は、上流側駆動ローラと下流側駆動ローラとの間に記録材を展張搬送し、両駆動ローラの間の位置にあって印字、画像形成を行うインクヘッドを、記録材搬送方向と直交する方向に移動させる画像形成装置において、前記両駆動ローラ間の記録材展張部位に、インクヘッド移動方向に平行に、前記展張部位にある記録材をインクヘッドに対して接離する方向に変位させるガイド部材をそなえてなるか、または、
上記のものにおいて、ガイド部材が展張記録材の搬送方向にみて直交する方向で複数の部位で記録材に当接してなるか、または、
上記いずれかのものにおいて、ガイド部材の少なくとも一部が印字領域外で記録材に当接してなるか、または、
前記いずれかのものにおいて、ガイド部材が展張記録材の搬送方向に直交する方向において少なくとも２個に分割されているか、または、
前記いずれかのものにおいて、ガイド部材の体積抵抗率が５×１０9 Ωｃｍ以下であることを特徴とするものである。
【０００７】
このように構成することによって、記録材の搬送が安定して、これの不安定による印字、形成画像の乱れを防止できる。
【０００８】
【実施例の説明】
「図１」は本発明の実施例を示す画像形成装置要部の概略斜視図で、不図示の記録材は、図示左方から右方に搬送されるものとし、上流側には駆動ローラ１０とこれに当接する複数個の従動コロ１１が配設してあり、下流側には複数個の駆動ローラ１２とこれに当接する従動拍車１３が配設してある。
【０００９】
この場合にもローラ１０の周速よりも、ローラ１２の周速が大きくなるように構成してあり、記録材はローラ１０側からローラ１２側に展張状態で搬送される。また、ローラ１０、コロ１１による搬送力がローラ１２、拍車１３による搬送力よりも大であるため記録材の搬送精度はローラ１０に依存する。
【００１０】
上記のような記録材搬送機構部の上方にはレール対８が配設してあり、これに摺動自在に配置されたインクヘッド７が、記録材の巾方向、画像形成領域にわたって走行して印字、  画像形成を行うものとする。
【００１１】
「図２」は上記装置の印字部位周辺を示す拡大側面図である。上流側駆動ローラ１０と下流側駆動ローラ１２の間の位置にステー２が配設してあり、該ステー２にガイド部材１がビス５で固定されている。また前記ステー２に固定した台座３には、駆動ローラ１０方向に延在する分離シート４が取着してある。このような構成よって記録材Ｐを駆動ローラ１０から確実に分離させるとともに、この記録材を後述のガイド部材１に案内している。
【００１２】
ガイド部材１の先端１ａは、前記ローラ１０、１２の共通接線よりもインクヘッド側に位置しているので、駆動ローラ１０を離れて進行する記録材Ｐの進行方向は、前記ガイド部材先端１ａによって規制されて駆動ローラ１２とは直接関係しないことになる。
【００１３】
また、「図１」に示すように、長手方向（記録材の巾方向）に、図示の場合３分割してあり、それら各部分が「図１」に示すようにビス５によって固定してある。そして、これらビス５が嵌入しているガイド部材１の孔は、ガイド部材１の先端１ａの位置が図示ＢーＢ方向に調整できるように、長孔乃至大きめの丸孔となっている。
【００１４】
このように構成してあるから、両駆動ローラ１０、１２の間の印字部位にある記録材部分は、部品の加工誤差、組み立て誤差の積み上げによって発生した、記録材の設定位置からのズレを、前記ビス５によってガイド部材１の位置調整によって修正して、記録材Ｐとインクヘッド７との間隔を正常に維持できる。
【００１５】
「図３」は本発明の第２の実施例を示すもので、前記「図１」に示すような画像形成装置の印字部位近傍の側面図であって、「図２」に示すものと対応する部分には同一の符号を付して示してあり、駆動ローラ１０、従動コロ１１、駆動ローラ１２、従動拍車１３、ステー２、インクヘッド７などの関係配置、記録材の基本的な搬送態様には変わりはなくそれらについての説明は省略する（以下の実施例についても同様）。
【００１６】
インクヘッド７は紙面に垂直方向に移動して、図示符号ｂで示す範囲に印字を行うものとする。両駆動ローラ１０、１２の間に配置されたステー２には、断面ほぼＬ字状に形成されたガイド部材２３の一方の面がビス５によって取り付けてあり、ガイド部材２３の折曲された部位の面２１は図示ほぼ水平方向に延在して前記印字部位ｂを完全にカバーする程度の長さを有している。
【００１７】
前記他方の面２１の先端には分離シート４が配設してあって、駆動ローラ１０、従動コロ１１から引き出される記録材Ｐを確実に該ローラから分離されるものとする。ガイド部材２３の前記一方の面は、前述のようにビス５によってステー２に取着してあるが、この場合のガイド部材側の孔はビスの径よりも大きい長孔乃至丸孔で、これによってガイド部材の面２１の位置を、駆動ローラ１０、同１２の共通接線よりもインクヘッド７に近い位置に調整して固定するものとする。
【００１８】
このように構成してあるから、印字部位ｂに搬送されてくる記録材Ｐの位置は駆動ローラ１０とガイド部材２３の他方の面２１の位置によって決定され、ローラ１２には依存せず、前記他方の面２１の位置を調整することによって部品の加工、組み立て時の誤差を補償することが可能である。また、前記ガイド部材２３を、体積抵抗率５×１０9 Ωｃｍ以下の樹脂によって構成することによって、ガイド部材の帯電による記録材のはり付き、紙粉、塵埃などの付着、これらに起因する画質の劣化を有効に防止できる。
【００１９】
「図４」は本発明の第３の実施例を示す画像形成装置の印字部位近傍の側面図であり、その基本的な構成は前述の実施例装置と変わりはない。この装置においては、ステー２に、断面ほぼＬ字状のガイド部材４３の一つの面がビス４５によって螺着してあり、該ガイド部材の他方の面たる上面部４３ａに、ステンレス板からなる分離シート４１が配置してある。
【００２０】
該分離シート４１の先端（図示左端）は駆動ローラ１０と従動コロ１１とのニップ部に対向して、搬送される記録材Ｐを確実に分離する。また、前記分離シート４１の後端（図示右端）４１ａは、インクヘッド７の印字領域ｃを越えて図示右方に延在しており、該部分は上方、即ち、インクヘッド側に湾曲してあり、先端部は、ローラ１０、１２の共通接線よりもインクヘッド側に達している。
【００２１】
このような構成となっているから、搬送される記録材Ｐの印字部位ｃにおける位置は、ローラ１０と分離シート後端４１ａの位置によって決定され、ローラ１２の精度には依存しない。なお、ビス４５によってガイド部材４３の位置、従って分離シート後端４１ａの位置を調整できることは云う迄もない。
【００２２】
「図５」は本発明の第４の実施例を示す、画像形成装置の印字部位の側面図である。駆動ローラ１０とこれに当接する従動コロ１１、ローラ１２とこれに当接する従動コロ１３’との間に配置されたステー２には断面ほぼＬ字状のガイド部材６３が配設してあり、その上面部６３ａにはステンレス板からなる分離シート６１が配設してある。分離シート６１先端（図示左方）は駆動ローラ１０と従動コロ１１のニップ部に対向して搬送される記録材を確実に分離する。
【００２３】
前記分離シート６１はインクヘッド７による印字領域ｄを越えて下流側（記録材の走行方向にみて）に延びており、その後端部６１ａはインクヘッド７に近接する方向に湾曲している。また、前記分離シート６１の中間部位、印字領域ｄよりも上流側には上方に凸となった湾曲部６１ｂが形成してある。
【００２４】
即ち、前記後端部６１ａ及び湾曲部６１ｂはその間に印字領域ｄを挟持する形となっおり、且つそれらの頂部は、ローラ１０、１２の共通接線よりもインクヘッドに接近した側に位置するようになっている。
【００２５】
従って、ローラ１０、１２間に展張される記録材は、前記湾曲部６１ｂ、後端部６１ａによって規制された状態でインクヘッドに対向するので、記録材の位置がローラ１０、１２の精度に影響されることがない。この場合にも、ビス６５によって記録材とインクヘッドの相対位置関係を調整できることは直ちに理解できるところであろう。
【００２６】
「図６」は本発明の第５の実施例を示す画像形成装置の印字部位近傍の側面図である。上流側駆動ローラ１０とこれに当接する従動コロ１１と、下流側駆動ローラ１２とこれに当接する拍車１３とからなる搬送手段によって記録材Ｐが図示矢印Ａ方向に搬送されるものとし、紙面に垂直方向に移動するインクヘッド７によって前記両駆動ローラ間に搬送展張される記録材Ｐに領域ｅの範囲に印字が行われる。
【００２７】
前記両駆動ローラ１０、１２の間にはステー２が配置してあり、これに印字後ガイド部材８２が、ビス８９によって高さ（図示上下方向）調整自在に配設してある。また、画像形成装置内の、前記従動コロ１１近傍の不動部適所には第２のステー８４が配設してあり、これにビス９４によって調整自在に印字前ガイド部材８１が配設してある。
【００２８】
前記ステー２には、その頂部に設けた台座８６に分離シート８５が配設してあり、これによってローラ１０から記録材Ｐを確実に分離走行させる。また前記印字後ガイド部材８２の頂部先端８２ａは、ローラ１０、１２の共通接線よりもさらにインクヘッド７側に位置している。また、前記印字前ガイド部材８１の下方先端８１ａは、前記共通接線よりもインクヘッドから遠い側に位置しているものとする。この場合、前記印字領域ｅが前記先端８１ａ、８２ａの間になるように各ガイド部材８１、８２を配置するものとする。
【００２９】
このように構成したから、搬送される記録材は、印字領域ｅの前後においてガイド部材８１、８２の先端８１ａ、８２ａによってのみ規制され、ローラ１０、１２の精度には関係がない。
【００３０】
なお図示はしないが、上記の装置において、印字前、印字後いずれかのガイド部材先端がローラ１０、１２の共通接線に一致するように構成しても作用効果に変わりはない。
【００３１】
以上、本発明の実施態様について説明したが、本発明がこれらのものに限定されるものではなく、その精神を逸脱しない範囲で種々な変改が可能であることは云う迄もない。
【発明の効果】
以上説明したように、本発明によるときは、上流側駆動ローラと下流側駆動ローラ間に記録材を展張搬送し、これにインクヘッドなどの画像形成手段によって印字、画像形成を行う画像形成装置において、搬送される記録材の、インクヘッドに対する位置を、記録材を装架搬送する前記ローラに関係なく別設の案内手段によって規制できるので、ローラ、これに関連する機構部の加工、管理が容易になり、さらに案内手段たるガイド部材の調整を可能とすることによって、記録材の位置出しを正確に行えるので良質の画像を得るのに資する。とくに大型の画像形成装置の場合、ガイド部材を分割可能とすることによって調整がより容易になる。また、ガイド部材の材質に体積抵抗率が５×１０9 Ωｃｍ以下のものを使用することによって、紙粉、塵埃などの付着による画質の劣化を好適に防止できる。
【図面の簡単な説明】
【図１】  本発明の実施例を示す画像形成装置の要部の斜視図
【図２】  同上印字部位近傍を示す側面図
【図３】  本発明の第２の実施例を示す印字部位の側面図
【図４】  本発明の第３の実施例を示す印字部位の側面図
【図５】  本発明の第４の実施例を示す印字部位の側面図
【図６】  本発明の第５の実施例を示す印字部位の側面図
【符号の説明】
１              ガイド部材
２              ステー
３              台座
４              分離シート
５              ビス
７              インクヘッド
８              レール
１０、１２      駆動ローラ
１１            従動コロ
１３            従動拍車
２３、４２、６３          ガイド部材
４１、６１、８５          分離シート
４５、６５、８９、９４    ビス
【図１】
0003642436.tif 000002
【図２】
0003642436.tif 000003
【図３】
0003642436.tif 000004
【図４】
0003642436.tif 000005
【図５】
0003642436.tif 000006
【図６】
0003642436.tif 000007